(57)【特許請求の範囲】
【請求項１】
前部に先具を有する外筒と、
軸線方向後方へ常時、付勢された繰出チャックを有し、外筒内で軸線方向に移動可能に設けられる芯繰り出し機構と、
外筒に固定され外筒より前方へと伸びる先端パイプと、
先端パイプの先端口内にその後端が固着され、外面が先細りとなったテーパー状の先端具と、
先端具よりも後方で且つ先端パイプ内にあって、芯に弾性的に接触する弾性体と、
を有し、弾性体がＯリングであることを特徴とする筆記具。
【請求項２】
前記先端パイプは、その全長が５ｍｍ以上であることを特徴とする請求項１記載の筆記具。
【発明の詳細な説明】
【０００１】
【発明の属する技術分野】
本発明は、芯を繰り出すことができ、その先端に芯が挿通する芯保護用の先端パイプを持つ筆記具に関する。
【０００２】
【従来の技術】
従来、芯を繰り出すことができる筆記具としては、前部に先具が設けられた外筒と、外筒内で軸方向に移動可能に設けられて芯を繰り出す為の繰出チャックを有する芯繰り出し機構と、先具の先端から突出した先端パイプとを有するものが市販されている。
このような筆記具では、繰出チャックから繰り出された芯が先具及び先端パイプを挿通し、芯の先端が先端パイプの先端から突出して、使用に供される。この先端パイプの長さは、一般的には３ｍｍ程度、製図用のものは４ｍｍ程度であり、先具と先端パイプが一体成形されたものでは、先端パイプ部分の長さは製造上の制約から、２．０〜２．５ｍｍ程度となっている。
【０００３】
【発明が解決しようとする課題】
しかしながら、例えば、電気工事、建設工事等の工事現場においては、職人等が深い小溝のような狭い場所に筆記する必要があり、従来の筆記具では、先具より後方が小溝内に入らないため、小溝に入ることが可能な細い先端パイプを長くすることが切望されている。また、例えば、デッサン（素描）等を行うのに筆記具を使用する場合には、筆記具の後方を持って筆記することが多く、先端パイプが短いと先具等に視界が遮られ、筆記先が死角になるため、先端パイプを長くすることが望まれる。
しかしながら、従来の筆記具では、先端パイプの長さを長くすると、繰出チャックから先端パイプ先端までの長さが長くなるので、芯が消耗して短くなり、繰出チャックに保持されなくなったときに、無駄になるロス芯の量が多くなるという問題がある。
【０００４】
本発明はかかる問題に鑑みなされたもので、請求項１及び請求項２記載の発明は、芯が無駄にならず、且つ長い先端パイプとすることができる筆記具を提供することをその目的とする。
【０００５】
【課題を解決するための手段】
上記目的を達成するために請求項１記載の筆記具は、前部に先具を有する外筒と、軸線方向後方へ常時、付勢された繰出チャックを有し、外筒内で軸線方向に移動可能に設けられる芯繰り出し機構と、先具に固定され外筒より前方へと伸びる先端パイプと、先端パイプの先端口内にその後端が固着され、外面が先細りとなったテーパー状の先端具と、先端具よりも後方で且つ先端パイプ内にあって、芯に弾性的に接触する弾性体と、を有し、弾性体がＯリングであることを特徴とする。
【０００６】
芯が消耗して先端具の先端と繰出チャックの間の長さよりも短くなり繰出チャックに挟持されなくなったときにも、芯が先端パイプ内の弾性体によって保持されるため、さらに芯繰り出し機構を作用させると、繰出チャックより前進された次の芯が前の芯を押圧して前の芯を繰り出すことができる。短くなった芯は、先端パイプ内の弾性体に保持されるため、落下することはない。
また、先端パイプの先端には、さらに外面が先細りとなったテーパー状の先端具が固着されているため、先端パイプが芯よりも多少太くても、筆記先が死角になることを防げる。
【０００７】
また、請求項２記載の発明は、請求項１記載のものにおいて、前記先端パイプは、その全長が５ｍｍ以上であることを特徴とする。
【０００８】
【発明の実施の形態】
以下、図面を用いて本発明の実施の形態を説明する。図１は、本発明に係る筆記具の実施の形態を表す側面図、図２はその縦断面図である。
図において、１０は外筒であり、外筒１０は、その前部に螺着により固着された先具１２を有している。但し、外筒１０は先具１２を含めた一体品とすることも可能である。
【０００９】
外筒１０の内部には、軸線方向に移動可能に芯繰り出し機構１４が配設される。芯繰り出し機構１４は、芯を繰り出す為の繰出チャック１６と、繰出チャック１６の頭部に外嵌され繰出チャック１６の頭部を締め付けるチャックリング１８と、チャックリング１８の後端に当接する筒状体２０と、繰出チャック１６に連結される芯タンク２２と、芯タンク２２の前端と筒状体２０の前端部との間に介挿され、芯タンク２２を介して繰出チャック１６を軸線方向後方へ常時付勢するチャックスプリング２４と、筒状体２０の後端と外筒１０の中央部内周面に形成された段部１０ａとの間に介挿され、筒状体２０の前端を先具１２の内周面に形成された段部１２ａに押し付けるクッションスプリング２６と、を備えている。
【００１０】
先具１２の先端には、細長の先端パイプ３４が圧入（またはかしめ）により固定されており、先端パイプ３４は先具１２より前方へと伸びている。この実施の形態では、先端パイプ３４の全長は、５ｍｍ以上、好ましくは２０ｍｍ〜３０ｍｍ程度に設定される。この先端パイプ３４は、金属製とすると肉薄になり好ましい。
そして、先端パイプ３４の先端口内には、先端具３６の後端３６ａが圧入（またはかしめ）により固定されている。先端パイプ３４は、その外面が先細りとなったテーパー状となっている。さらに、先端パイプ３４内には、先端具３６の後端３６ａに当接または離間して弾性体であるＯリング３８が挿設されている。このＯリング３８は、芯に弾性的に摺接して芯を保持するものである。Ｏリング３８は、先端パイプ３４内に固定されていても良いが、必ずしも固定されていなくても良い。というのは、芯Ｌが前方へと繰り出されるために、Ｏリング３８は、芯Ｌと共に先端具３６の方へ押し付けられており、且つ、先端具３６が前方にあるために、先端パイプ３４から飛び出すことがないからである。
芯タンク２２の後端には、芯削り器４０内蔵のノック筒４２が着脱可能にはめ込まれている。
この実施の形態における芯Ｌは、直径２ｍｍ程度のものが使用されている。
【００１１】
以上のように構成される筆記具において、芯Ｌを繰り出すには、ノック筒４２をノックすると、芯繰り出し機構１４のチャックスプリング２４が圧縮するので、繰出チャック１６が先具１２内を前進し、芯Ｌが繰り出される。こうして、筆記することが可能になる。先端パイプ３４は、芯Ｌの外径よりもＯリング３８の肉厚及び先端パイプ３４の肉厚の加算分だけほぼ大きくなるが、先具１２よりも、その外径は遙かに小さくできるため、深い溝の中に先端パイプ３４を挿入して、溝の底に筆記することができる。また、先端パイプ３４の先端には、さらに外面が先細りとなったテーパー状の先端具３６が固着されているため、先端パイプ３４が芯Ｌよりも多少太くても、筆記先が死角になることを防げる。
また、芯Ｌを、先端パイプ３４で保護すると共に、Ｏリング３８が筆記具の先端において保持しているため、安定して筆記を行うことができる。
【００１２】
芯Ｌが消耗して先端具３６の先端と繰出チャック１６の間の長さよりも短くなり繰出チャック１６に挟持されなくなったときにも、芯ＬがＯリング３８によって保持されるため、さらにノック筒４２をノックすると、繰出チャック１６より前進された次の芯Ｌが前の芯Ｌを押圧して前の芯Ｌを繰り出すことができる。このようにして短くなった芯Ｌも筆記することができるようになる。短くなった芯Ｌは、Ｏリング３８に保持されるため落下することがない。
【００１３】
繰出チャック１６からはじめての芯が繰出されると、繰出チャック１６が前進して芯Ｌを解放したときに、芯Ｌは、自重でＯリング３８のところまで落下して、Ｏリング３８に保持される。こうしてＯリング３８に保持された状態でノック筒４２をノックすると、繰出チャック１６によって所定量ずつ芯が繰出されるようになる。Ｏリング３８は先端パイプ３４内の前方にあるため、芯が先端具３６から突出するまでに必要なノック回数は、多くにはならず、手間がかからず芯を突出させることができる。
【００１４】
先端パイプ３４内に設けられる弾性体としては、Ｏリング３８に限らず、内径が先細りとなった筒状型のゴム性パッキンとすることも可能である。また、弾性体としては、天然ゴム、合成ゴム、シリコンゴム、熱可塑性エラストマー等を使用することが可能である。
【００１５】
【発明の効果】
以上説明したように、本発明によれば、先端パイプと、先端具よりも後方で且つ先端パイプ内にあって、芯に弾性的に接触する弾性体と、を設けたので、先端パイプの長さを長くしても筆記の安定性が増し、ロス芯の量を少なくすることができる。こうして、芯を先端パイプで保護することができ、深い溝の底等に筆記する工具用筆記具として使用する場合や、デッサン用筆記具として使用する場合にも使い勝手のよいものとすることができる。
さらに、先端パイプの先端口内にその後端が固着され、外面が先細りとなったテーパー状の先端具を設けているので、先端パイプが弾性体の肉厚分だけその外径が大きくなっても、先端具によって筆記先が死角になることを防げる。
また、繰出チャックと先端パイプ内にある弾性体との２点で芯を保持するため、先端パイプの長さを長くしても、筆記の安定性を保つことができる。
【図面の簡単な説明】
【図１】本発明に係る筆記具の実施の形態を表す側面図である。
【図２】実施の形態を表す縦断面図である。
【符号の説明】
１０    外筒
１２    先具
１４    芯繰り出し機構
１６    繰出チャック
３４    先端パイプ
３６    先端具
３８    Ｏリング（弾性体）
【図１】
0003895057.tif 000002
【図２】
0003895057.tif 000003